(57)【要約】【課題】  構造が簡素で且つ操作が容易な背もたれ調節機構及び該背もたれ調節機構を備えるチャイルドシートを提供すること。【解決手段】  背もたれ調節機構は基部と、該基部に摺動可能に連結されたシートと、該シートに枢結された背もたれとを含むチャイルドシートのために適合されており、背もたれ調節機構は摺動スロット構造と連結ロッドとを含む。摺動スロット構造は基部に配置されるとともにシートの摺動方向に沿って配置されている。連結ロッドはシートに固定されるとともに、摺動スロット構造と摺動的に協働する。シートが基部に対して摺動されると、シートは、シートに対する前記背もたれの角度を調節するために背もたれを駆動して異なる位置で前記基部に当接させる。【選択図】  図２
2018030577.tif 000002
【特許請求の範囲】
【請求項１】
基部と、該基部に摺動可能に連結されたシートと、該シートに枢結された背もたれとを含むチャイルドシートのために適合された背もたれ調節機構であって、当該背もたれ調節機構は、
前記基部に配置されるとともに前記シートの摺動方向に沿って配置された摺動スロット構造と、
前記シートに固定されるとともに、前記摺動スロット構造と摺動的に協働する連結ロッドと、
を含み、
前記シートが前記基部に対して摺動されると、前記シートは、前記シートに対する前記背もたれの角度を調節するために前記背もたれを駆動して異なる位置で前記基部に当接させる、背もたれ調節機構。
【請求項２】
前記シートを前記基部に対して摺動させることができるように又は前記基部に対する前記シートの摺動を抑制するために、前記シートと前記基部との間に配置された位置決めアセンブリをさらに含む、請求項１に記載の背もたれ調節機構。
【請求項３】
前記基部に配置されるとともに前記シートの摺動方向に沿って配置された係合部をさらに含み、前記位置決めアセンブリは前記シートに配置され、前記位置決めアセンブリがロック状態にある場合に前記位置決めアセンブリは前記係合部と係合し、前記位置決めアセンブリが非ロック状態にある場合に前記位置決めアセンブリは前記係合部から外れている、請求項２に記載の背もたれ調節機構。
【請求項４】
前記係合部に複数の係合孔が形成されるとともに前記シートの摺動方向に沿って配置されている、請求項３に記載の背もたれ調節機構。
【請求項５】
前記位置決めアセンブリは、
第１の位置で前記係合部と係合するか又は第２の位置で前記係合部から外れるロック部品と、
前記ロック部品に摺動可能に連結される駆動部品であって、該駆動部品は摺動して前記ロック部品を駆動して前記第１の位置と前記第２の位置との間で動かす、駆動部品と、
前記駆動部品に連結されるとともに、前記駆動部品が摺動するように動かすために前記シートの摺動方向に沿って摺動可能な操作部品と、
を含む、請求項３に記載の背もたれ調節機構。
【請求項６】
前記操作部品に駆動スロットが形成され、該駆動スロットと協働するために前記駆動部品から突出柱状体が突出し、該突出柱状体は前記駆動スロットを貫通し、前記操作部品は摺動して、前記駆動スロットと前記突出柱状体との協働により前記駆動部品が摺動するように駆動する、請求項５に記載の背もたれ調節機構。
【請求項７】
前記駆動スロットの延在方向は前記シートの摺動方向と交差する、請求項６に記載の背もたれ調節機構。
【請求項８】
前記駆動部品の摺動方向は前記シートの摺動方向と実質的に平行である、請求項５に記載の背もたれ調節機構。
【請求項９】
前記位置決めアセンブリは、前記操作部品を付勢して復元させるために前記操作部品と当接する復元部品をさらに含む、請求項５に記載の背もたれ調節機構。
【請求項１０】
前記操作部品は前記シートの前端部から突出する、請求項５に記載の背もたれ調節機構。
【請求項１１】
前記背もたれと前記チャイルドシートの背もたれパイプとの間に連結された連結アセンブリをさらに含む、請求項１に記載の背もたれ調節機構。
【請求項１２】
前記連結アセンブリは、
前記背もたれに固定された背もたれ固定部品と、
前記背もたれ固定部品に固定されるとともに前記背もたれパイプに摺動可能に連結された水平ロッドと、
を含み、
前記基部に対する前記背もたれパイプの位置は、前記基部に対する前記背もたれの角度の調節の間固定される、請求項１１に記載の背もたれ調節機構。
【請求項１３】
前記背もたれパイプに連結スロットが形成されるとともに前記背もたれパイプの長手方向に沿って配置され、前記水平ロッドは摺動可能に前記連結スロットを貫通する、請求項１２に記載の背もたれ調節機構。
【請求項１４】
基部と、
前記基部に摺動可能に連結されたシートと、
前記シートに枢結された背もたれと、
背もたれ調節機構と、
を含むチャイルドシートであって、
前記背もたれ調節機構は、
前記基部に配置されるとともに前記シートの摺動方向に沿って配置された摺動スロット構造と、
前記シートに固定され、前記摺動スロット構造と摺動的に協働する連結ロッドと、
を含み、
前記基部に対して前記シートを摺動させた場合、前記シートは、前記シートに対する前記背もたれの角度を調節するために前記背もたれを駆動して異なる位置で前記基部と当接させる、チャイルドシート。
【請求項１５】
前記基部に固定された基部固定部品をさらに含み、前記摺動スロット構造は前記基部固定部品に形成され、前記連結ロッドは前記摺動スロット構造を貫通するとともに前記シートに固定されている、請求項１４に記載のチャイルドシート。
【請求項１６】
前記背もたれ調節機構は連結部品をさらに含み、
前記連結部品の一端は前記連結ロッドに枢結され、前記連結部品の他端は前記背もたれに連結され、前記シートは前記連結ロッドと前記連結部品との協働により摺動して前記背もたれを駆動する、請求項１５に記載のチャイルドシート。
【請求項１７】
前記背もたれ調節機構は前記基部固定部品に配置された係合部と、前記シートに配置された位置決めアセンブリとをさらに含み、
前記位置決めアセンブリがロック状態にある場合に前記位置決めアセンブリは前記係合部と係合し、前記位置決めアセンブリが非ロック状態にある場合に前記位置決めアセンブリは前記係合部から外れている、請求項１５に記載のチャイルドシート。
【請求項１８】
前記シートに固定されるとともに前記連結ロッドに固定されたシート固定部品をさらに含む、請求項１５に記載のチャイルドシート。
【請求項１９】
前記基部に固定された背もたれパイプと連結アセンブリとをさらに含み、
前記背もたれパイプは前記連結アセンブリにより前記背もたれに連結されている、請求項１４に記載のチャイルドシート。
【請求項２０】
前記基部の後端部に傾斜接触面が形成され、前記背もたれの底部は前記傾斜接触面と移動可能に接触する、請求項１４に記載のチャイルドシート。
【発明の詳細な説明】
【技術分野】
【０００１】
本発明は幼児用製品に関し、より具体的には構造が簡素で且つ操作が容易という利点を有する背もたれ調節機構及びその背もたれ調節機構を備えたチャイルドシート（infant  car  seat）に関する。
【背景技術】
【０００２】
幼児キャリア（infant  carriers）の使用の拡大に伴い、幼児キャリアに対する要求が増々高まっている。幼児キャリアは、キャリアに座る幼児に安全性及び快適性を提供するのみならず、使用の利便性をもたらす。
【発明の概要】
【発明が解決しようとする課題】
【０００３】
例えば、自動車の座席に設置されるチャイルドシートは、急ブレーキ又は事故が起こった場合に、締結装置で幼児を締結することにより幼児がケガ又は死亡するリスクを低減する。チャイルドシートは一般に基部と、シートと、背もたれとを含み、背もたれは、幼児に快適性を提供するためにシートに対する背もたれの角度を調節することができる調節機構を備える。しかしながら、従来の調節機構の構造は複雑であり、シートに対する背もたれの角度の調節の間に基部に対するシートの角度が変化し、使用が不便である。
【０００４】
したがって、本発明は、上記の課題を解決するために、構造が簡素で且つ操作が容易であるという利点を有する背もたれ調節機構及びその背もたれ調節機構を備えるチャイルドシートを提供することを目的とする。
【課題を解決するための手段】
【０００５】
上記の目的を実現するために、本発明は、基部と、シートと、背もたれとを含むチャイルドシートのために適合された背もたれ調節機構を開示する。シートは基部に摺動可能に連結され、背もたれはシートに枢結されている。背もたれ調節機構は摺動スロット構造と連結ロッドとを含む。摺動スロット構造は基部に配置されるとともにシートの摺動方向に沿って配置されている。連結ロッドはシートに固定されるとともに、摺動スロット構造と摺動的に協働する（slidably  cooperates）。シートが基部に対して摺動されると、シートは、シートに対する背もたれの角度を調節するために背もたれを駆動して異なる位置で基部に当接させる。
【０００６】
前記背もたれ調節機構は、シートを基部に対して摺動させることができるように又は基部に対するシートの摺動を抑制するために、シートと基部との間に配置された位置決めアセンブリをさらに含むことが好ましい。
【０００７】
前記背もたれ調節機構は、基部に配置されるとともにシートの摺動方向に沿って配置された係合部をさらに含むことが好ましい。位置決めアセンブリはシートに配置されている。位置決めアセンブリがロック状態にある場合に位置決めアセンブリは係合部と係合し、位置決めアセンブリが非ロック状態にある場合に位置決めアセンブリは係合部から外れている。
【０００８】
係合部に複数の係合孔が形成されるとともにシートの摺動方向に沿って配置されていることが好ましい。
【０００９】
位置決めアセンブリはロック部品と、駆動部品と、操作部品とを含むことが好ましい。ロック部品は第１の位置で係合部と係合するか又は第２の位置で係合部から外れる。駆動部品はロック部品に摺動可能に連結され、該駆動部品は摺動してロック部品を駆動して第１の位置と第２の位置との間で動かす。操作部品は駆動部品に連結されるとともに、駆動部品が摺動するように動かすためにシートの摺動方向に沿って摺動可能である。
【００１０】
操作部品に駆動スロットが形成されていることが好ましい。駆動スロットと協働するために駆動部品から突出柱状体（protruding  column）が突出する。突出柱状体は駆動スロットを貫通し、操作部品は摺動して、駆動スロットと突出柱状体との協働により駆動部品が摺動するように駆動する。
【００１１】
駆動スロットの延在方向は前記シートの摺動方向と交差することが好ましい。
【００１２】
駆動部品の摺動方向はシートの摺動方向と実質的に平行であることが好ましい。
【００１３】
位置決めアセンブリは、操作部品を付勢して復元させる（recover）ために操作部品と当接する復元部品（recovering  component）をさらに含むことが好ましい。
【００１４】
操作部品はシートの前端部から突出することが好ましい。
【００１５】
前記背もたれ調節機構は、背もたれとチャイルドシートの背もたれパイプとの間に連結された連結アセンブリをさらに含むことが好ましい。
【００１６】
連結アセンブリは背もたれ固定部品と水平ロッドとを含むことが好ましい。背もたれ固定部品は背もたれに固定されている。水平ロッドは背もたれ固定部品に固定されるとともに背もたれパイプに摺動可能に連結されている。基部に対する背もたれパイプの位置は、基部に対する背もたれの角度の調節の間固定される。
【００１７】
背もたれパイプに連結スロットが形成されるとともに背もたれパイプの長手方向に沿って配置され、水平ロッドは摺動可能に連結スロットを貫通することが好ましい。
【００１８】
上記の目的を実現するために、本発明は基部と、シートと、背もたれと、背もたれ調節機構とを含むチャイルドシートをさらに開示する。シートは基部に摺動可能に連結されている。背もたれはシートに枢結されている。背もたれ調節機構は摺動スロット構造と連結ロッドとを含む。摺動スロット構造は基部に配置されるとともにシートの摺動方向に沿って配置されている。連結ロッドはシートに固定され、摺動スロット構造と摺動的に協働する。基部に対してシートを摺動させた場合、シートは、シートに対する背もたれの角度を調節するために背もたれを駆動して異なる位置で基部と当接させる。
【００１９】
前記チャイルドシートは基部に固定された基部固定部品をさらに含むことが好ましい。摺動スロット構造は基部固定部品に形成されている。連結ロッドは摺動スロット構造を貫通するとともにシートに固定されている。
【００２０】
背もたれ調節機構は連結部品をさらに含むことが好ましい。連結部品の一端は連結ロッドに枢結されている。連結部品の他端は背もたれに連結され、シートは連結ロッドと連結部品との協働により摺動して背もたれを駆動する。
【００２１】
背もたれ調節機構は基部固定部品に配置された係合部と、シートに配置された位置決めアセンブリとをさらに含むことが好ましい。位置決めアセンブリがロック状態にある場合に位置決めアセンブリは係合部と係合し、位置決めアセンブリが非ロック状態にある場合に位置決めアセンブリは係合部から外れている。
【００２２】
前記チャイルドシートはシートに固定されるとともに連結ロッドに固定されたシート固定部品をさらに含むことが好ましい。
【００２３】
前記チャイルドシートは基部に固定された背もたれパイプと連結アセンブリとをさらに含むことが好ましい。背もたれパイプは連結アセンブリにより背もたれに連結されている。
【００２４】
基部の後端部に傾斜接触面が形成され、背もたれの底部は傾斜接触面と移動可能に接触することが好ましい。
【００２５】
要約すると、本発明は、基部に対してシートが摺動された場合に背もたれを駆動して異なる位置で基部と当接させるために背もたれ調節機構を用い、それによりシートに対する背もたれの角度の調節が得られる。このように、シートに対する背もたれの角度の調節の間基部に対するシートの角度は変化しない。したがって、本発明は構造が簡素で且つ操作が容易であるという利点を有する。
【００２６】
様々な図面に図示する下記の好ましい実施形態の詳細な説明を読み終えた後、本発明の上記の目的及び他の目的が当業者に間違いなく明らかになる。
【図面の簡単な説明】
【００２７】
【図１】図１は、本発明の一実施形態に係る、第１の状態にあるチャイルドシートの側面図である。
【図２】図２は、本発明の一実施形態に係る、図１に示すチャイルドシートの断面図である。
【図３】図３は、本発明の一実施形態に係る、第２の状態にあるチャイルドシートの側面図である。
【図４】図４は、本発明の一実施形態に係る、図３に示すチャイルドシートの断面図である。
【図５】図５は、本発明の一実施形態に係る、チャイルドシートの背面図である。
【図６】図６は、本発明の一実施形態に係る、背もたれの後部シェルを図示していないチャイルドシートの図である。
【図７】図７は、本発明の一実施形態に係る、チャイルドシートの部分図である。
【図８】図８は、本発明の一実施形態に係る、チャイルドシートの部分図である。
【図９】図９は、本発明の一実施形態に係る、チャイルドシートの部分図である。
【図１０】図１０は、本発明の一実施形態に係る、背もたれ及びシートを図示していない別の状態のチャイルドシートの図である。
【図１１】図１１は、本発明の一実施形態に係る、背もたれ及びシートを図示していない別の状態のチャイルドシートの図である。
【発明を実施するための形態】
【００２８】
本発明の技術的な詳細及び構造的特徴並びに実現しようとする目的及び効果を説明するために、関連する実施形態及び図を以下で説明する。
【００２９】
以下の好ましい実施形態の詳細な説明では、本願の一部を成す添付の図面を参照する。添付の図面には、本発明が実施され得る特定の実施形態を例示的に示す。この点について、「上面（top）」、「底面（bottom）」、「前側（front）」、「後ろ側（back）」等の方向を表す用語（directional  terminology）は、描かれた図の向きを参照して用いられている。本発明の構成要素は多種多様な向きで配置できる。そのため、方向を表す用語は説明を目的に用いるものであり、何ら限定するものではない。したがって、図面及び説明は本質的に例示のためのものであって限定的に見なすべきでない。
【００３０】
図１〜図４を参照されたい。図１は、本発明の一実施形態に係る、第１の状態にあるチャイルドシート１の側面図である。図２は、本発明の一実施形態に係る、図１に示すチャイルドシート１の断面図である。図３は、本発明の一実施形態に係る、第２の状態にあるチャイルドシート１の側面図である。図４は、本発明の一実施形態に係る、図３に示すチャイルドシート１の断面図である。図１〜図４に示すように、チャイルドシート１は基部１０と、基部１０に摺動可能に連結されたシート２０と、シート２０に枢結された背もたれ３０とを含む。背もたれ３０の底部は基部１０に当接する。シート２０が基部１０に対して摺動されると、シート２０によって背もたれ３０が駆動されて異なる位置で基部１０と当接する。これによりシート２０に対する背もたれ３０の角度の調節が得られる。
【００３１】
具体的には、基部１０の後端部に傾斜接触面１１が形成され、背もたれ３０の底部が傾斜接触面１１と可動に接触する。
【００３２】
図５及び図６を参照されたい。図５は、本発明の一実施形態に係るチャイルドシート１の背面図である。図６は、本発明の一実施形態に係る、背もたれ３０を図示していないチャイルドシート１の図である。図５及び図６に示すように、チャイルドシート１は、基部１０の後端部に固定された２つの背もたれパイプ４０と、２つの背もたれパイプの２つの上端部に固定された上部ストラップ５０とをさらに含む。２つの背もたれパイプ４０は背もたれ３０の内部に配置されているが、上部ストラップ（top  strap）５０は背もたれ３０から露出している。なお、基部１０に対する２つの背もたれパイプ４０の位置又は角度は、シート２０に対する背もたれ３０の角度の調節の間変化しない。したがって、背もたれ３０の角度を調節するために上部ストラップ５０の窮屈度（tightness）を調節する必要がなく、便利に使用できる。
【００３３】
さらに、図２及び図４に示すように、チャイルドシート１は、シート２０が基部１０に対して摺動された場合に背もたれ３０を駆動して異なる位置で基部１０に当接させるための背もたれ調節機構６０をさらに含む。これにより、シート２０に対する背もたれ３０の角度の調節が実現される。このように、基部１０に対するシート２０の角度は、シート２０に対する背もたれ３０の角度の調節の間変化しない。
【００３４】
具体的には、背もたれ調節機構６０は２つの摺動スロット構造６１と、連結ロッド６２とを含む。２つの摺動スロット構造６１は基部１０に配置され、シート２０の摺動方向に沿って配置されている。連結ロッド６２は摺動して２つの摺動スロット構造６１と協働するためにシート２０に配置されている。
【００３５】
背もたれ調節機構６０は２つの係合部６３と、２つの係合部６３と協働する位置決めアセンブリ６４とをさらに含む。２つの係合部６３は基部１０に配置され、シート２０の摺動方向に沿って配置されている。位置決めアセンブリ６４はシート２０に配置されている。位置決めアセンブリ６４がロック状態にある場合、位置決めアセンブリ６４は２つの係合部６３と係合してシート２０が基部１０に対して摺動するのを抑制する。位置決めアセンブリ６４が非ロック状態にある場合、位置決めアセンブリ６４は２つの係合部６３から外れてシート２０が基部１０に対して摺動できるようにする。
【００３６】
図２、図４及び図６〜図９を参照されたい。図７〜図９は、本発明の一実施形態に係るチャイルドシート１の部分図である。背もたれ調節機構６０は連結部品６５をさらに含む。連結部品６５は連結ロッド６２に枢結されるとともに背もたれ３０の下端部に連結されている。シート２０が基部１０に対して摺動すると、背もたれ３０は連結ロッド６２と連結部品６５との協働により駆動されて異なる位置で基部１０と当接するため、シート２０に対する背もたれ３０の角度が調節される。しかしながら、連結部品６５の数及び構成はこの実施形態に限定されない。例えば、別の実施形態では、背もたれ調節機構６０は背もたれ３０の２つの側部に連結されるとともに、連結ロッド６２の２つの端部に枢結される２つの連結部品６５を含むことができる。
【００３７】
さらに、背もたれ調節機構６０は、基部１０に対する背もたれ３０の角度の調節の間に基部１０に対する２つの背もたれパイプ４０の位置を固定するために、背もたれ３０と２つの背もたれパイプ４０との間に連結された連結アセンブリ６６をさらに含む。したがって、シート２０に対する背もたれ３０の角度を調節するために上部ストラップ５０の窮屈度を調節する必要がない。
【００３８】
図７〜図１１を参照されたい。図１０及び図１１は、本発明の一実施形態に係る、背もたれ３０及びシート２０を図示していない別の状態にあるチャイルドシート１の図である。図７〜図１１に示すように、この実施形態では、チャイルドシート１は２つの基部固定部品１２をさらに含む。２つの摺動スロット構造６１及び２つの係合部６３は、２つの基部固定部品１２の後端及び前端にそれぞれ配置されるとともにシート２０の摺動方向に沿って配置されている。連結ロッド６２はシート２０の後端部に固定されているとともに、２つの摺動スロット構造６１を摺動可能に貫通している。位置決めアセンブリ６４は２つの係合部６３と係合できるように又は２つの係合部６３から外れることができるようにシート２０の前端部に配置されている。
【００３９】
チャイルドシート１はシート２０の後端に固定された２つのシート固定部品２１をさらに含むことが好ましい。連結ロッド６２は２つのシート固定部品２１に固定されている。シート２０が基部１０に対して摺動されると、連結ロッド６２が駆動されて２つのシート固定部品２１によって２つの摺動スロット構造６１内を摺動する。
【００４０】
この実施形態では、基部固定部品１２及びシート固定部品２１は金属板であることが好ましいが、そのような構成に限定されない。
【００４１】
図７及び図１０に示すように、この実施形態では、シート２０の摺動の安定性を確かなものにするために、２つの基部固定部品１２のそれぞれの前端にガイドスロット６１ａが形成されている。チャイルドシート１は２つのガイドスロット６１ａを貫通してシート２０の前端に連結されるガイドロッド６２ａをさらに含む。ガイドスロット６１ａの数はこの実施形態に限定されないことが分かる。
【００４２】
さらに、図１０及び図１１に示すように、２つの背もたれパイプ４０は２つの基部固定部品１２にそれぞれ溶接することができる。したがって、シート２０に対する背もたれ３０の角度がどれだけ変化しても、基部１０に対する２つの背もたれパイプ４０の位置は固定される。
【００４３】
図７〜図１０に示すように、２つの係合部６３のそれぞれに複数の係合孔６３０が形成されており、シート２０の摺動方向に沿って配置されている。位置決めアセンブリ６４は対応する係合孔６３０と係合して基部１０に対してシート２０が摺動するのを抑制する。他方、位置決めアセンブリ６４は係合孔６３０から外れて基部１０に対してシート２０が摺動できるようにする。
【００４４】
図４、図１０及び図１１に示すように、位置決めアセンブリ６４は操作部品６４１、２つの駆動部品６４２、２つのロック部品６４３及び復元部品６４４を含む。操作部品６４１はシート２０の摺動方向に沿って摺動可能である。操作部品６４１の端部はシート２０の前端から露出している。２つの駆動部品６４２はシート２０の摺動方向に垂直な方向に沿って配置されている。２つの駆動部品６４２のそれぞれの端部は操作部品６４１に摺動可能に連結されている。２つの駆動部品６４２のそれぞれの他端は対応するロック部品６４３に固定されている。２つのロック部品６４３は、２つのロック部品６４３が第１の位置にある場合に２つの係合部６３と係合する。２つのロック部品６４３が第２の位置にある場合に２つのロック部品６４３は２つの係合部６３から外れている。復元部品６４４は操作部品６４１とシート２０との間で当接する。操作部品６４１は摺動して２つの駆動部品６４２を駆動させ、２つのロック部品６４３が第１の位置と第２の位置との間で駆動されるようにする。復元部品６４４は操作部品６４１を付勢して復元させる。
【００４５】
図８及び図１１に示すように、２つの駆動スロット６４１１が操作部品６４１に形成されている。２つの駆動スロット６４１１の延在方向はシート２０の摺動方向と交差する。突出柱状体６４２１は２つの駆動部品６４２のそれぞれから突出して対応する駆動スロット６４１１と協働する。２つの突出柱状体６４２１は２つの駆動スロット６４１１をそれぞれ貫通する。そのため、操作部品６４１が外方又は前方に引っ張られると、操作部品６４１は２つの駆動部品６４２を駆動し、２つの駆動スロット６４１１と２つの突出柱状体６４２１との協働によりシート２０の摺動方向に垂直な方向に沿って動かして、２つのロック部品６４３を対応する係合孔６３０から外れるように駆動する。この時、シート２０に対する背もたれ３０の角度を調節するためにシート２０を基部１０に対して摺動させることができる。
【００４６】
この実施形態では、復元部品６４４はバネであることが好ましい。復元部品６４４の２つの端部は、操作部品６４１及びシート２０のそれぞれと当接する。操作部品６４１が外方に引っ張られると、復元部品６４４が圧迫される。操作部品６４１がリリースされると、圧迫された復元部品６４４が復元されて操作部品６４１を元の位置に移動させる。しかしならが、復元部品６４４はこの実施形態に限定されない。
【００４７】
図６〜図８に示すように、連結アセンブリ６６は、背もたれ３０に固定された２つの背もたれ固定部品６６１と、２つの背もたれ固定部品６６１に固定された水平ロッド６６２とを含む。水平ロッド６６２は２つの背もたれパイプ４０に摺動可能に連結されている。２つの背もたれパイプ４０のそれぞれには連結スロット４１が形成され、２つの背もたれパイプ４０の長手方向に沿って配置されている。水平ロッド６６２は２つの連結スロット４１を摺動可能に貫通する。水平ロッド６６２はシート２０に対する背もたれ３０の調節の間に２つの連結スロット４１に沿って上下に摺動する。
【００４８】
チャイルドシート１の操作原理を以下で説明する。図１及び図２に示すように、チャイルドシート１は第１の状態にある。背もたれ３０は傾斜接触面１１の上部に当接し、背もたれ３０の後端部は基部１０の後端部から突出する。チャイルドシート１を図１及び図２に示す第１の状態から図３及び図４に示す第２の状態に調節することを望む場合、操作部品６４１を外方に引っ張って２つの駆動部品６４２を駆動させてシート２０の摺動方向に垂直な方向に沿って動かすことで、２つのロック部品６４３を駆動させ、図１０に示すように対応する係合孔６３０から外すことができる。この時、シート２０を基部１０に対して摺動させることができる。
【００４９】
シート２０を引っ張って基部１０に対して前方に摺動させるプロセスの間、シート２０及び基部１０は常に互いに実質的に平行である。即ち、シート２０は基部１０に対して傾斜しておらず、基部１０に対するシート２０の角度は固定されている。シート２０を摺動させて連結ロッド６２を駆動し、２つの摺動スロット構造６１に沿って前方に摺動させると、連結ロッド６２は連結ロッド６２に枢結された連結部品６５を引っ張って背もたれ３０を駆動し、図７及び図８に示すように基部１０に対して前方に摺動させる。前述のプロセスの間、背もたれ３０に固定された水平ロッド６６２は２つの背もたれパイプ４０にある２つの連結スロット４１に沿って摺動するため、２つの背もたれパイプ４０に対する背もたれ３０の角度が調節され、シート２０に対する背もたれ３０の角度の調節が実現される。調節が完了すると、操作部品６４１をリリースできるため、復元部品６４４が操作部品６４１を復元して２つの駆動部品６４２を駆動し２つのロック部品６４３を対応する係合孔６３０と係合させる。これにより、チャイルドシート１を第２の状態で位置させるためにシート２０が基部１０に対して摺動するのが抑制される。
【００５０】
なお、シート２０に対する背もたれ３０の角度の調節の間、２つの背もたれパイプ４０は変化しないため、上部ストラップ５０を調節する必要がなく便利に使用できる。
【００５１】
図８及び図１１に示すように、連結ロッド６２が摺動して２つの摺動スロット構造６１の前端部に当接すると、シート２０に対する背もたれ３０の角度が最も大きくなる。この時、背もたれ３０は傾斜接触面１１の最も低い部と当接し、背もたれ３０の後端部は、図３及び図４に示すように基部１０の後端部から突出しない。
【００５２】
チャイルドシート１を図１及び図２に示す第１の状態に戻すことを望む場合、操作部品６４１を外方に引っ張って２つのロック部品６４３を駆動させ対応する係合孔６３０から外すことで、シート２０を押して基部１０に対して後方に摺動させて、シート２０の後端部に固定された連結ロッド６２により背もたれ３０を後方に摺動させることができる。調節が完了した後、操作部品６４１をリリースすることができるため、復元部品６４４が操作部品６４１を復元させて２つのロック部品６４３を駆動させ対応する係合孔６３０と係合させる。これにより、チャイルドシート１を第１の状態で配置させるために基部１０に対するシート２０の摺動が抑制される。
【００５３】
従来技術とは対照的に、本発明は、基部に対してシートが摺動した場合に背もたれを駆動させて基部と異なる位置で当接させるために背もたれ駆動機構を利用する。これにより、シートに対する背もたれの角度の調節が得られる。このように、シートに対する背もたれ３０の角度の調節の間、基部に対するシートの角度は変化しない。したがって、本発明は構造が簡素で且つ操作が容易であるという利点を有する。
【００５４】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００５５】
１  チャイルドシート
１０  基部
１１  傾斜接触面
２０  シート
３０  背もたれ
４０  背もたれパイプ
４１  連結スロット
５０  上部ストラップ
６０  背もたれ調節機構
６１  摺動スロット構造
６１ａ  ガイドスロット
６２  連結ロッド
６２ａ  ガイドロッド
６３  係合部
６３０  係合孔
６４  位置決めアセンブリ
６４１  操作部品
６４２  駆動部品
６４３  ロック部品
６４４  復元部品
６４１１  駆動スロット
６４２１  突出柱状体
６５  連結部品
６６  連結アセンブリ
６６１  背もたれ固定部品
６６２  水平ロッド
【図１】
2018030577.tif 000003
【図２】
2018030577.tif 000004
【図３】
2018030577.tif 000005
【図４】
2018030577.tif 000006
【図５】
2018030577.tif 000007
【図６】
2018030577.tif 000008
【図７】
2018030577.tif 000009
【図８】
2018030577.tif 000010
【図９】
2018030577.tif 000011
【図１０】
2018030577.tif 000012
【図１１】
2018030577.tif 000013